(57)【要約】【課題】使用時以外は簡単な操作でよりコンパクトに折り畳むことができ、軽量化と構造強度の向上を図ることができ、さらに防水層等へ及ぼす脚部の影響も小さくすることができる脚付き載置台を提供すること。【解決手段】上部に物を載せるための、折り畳み式の脚付き載置台であって、フレーム材により平面矩形に組まれた台本体１と、その台本体１を支持する複数の脚部２とを備える。脚部２は折り畳み可能で、折り畳み時に脚部全体が台本体１の下面に添う形態となるようにその上端を台本体１にヒンジ結合されている。台本体１には、脚部２が延びた位置でその脚部２を台本体１に位置決めするロック機構３が設けられている。脚部２の下端にはピン部材５が設けられ、そのピン部材５の先端が脚部の先端として構成されている。【選択図】    図４
2004169525.tif 000002
【特許請求の範囲】
【請求項１】
上部に物を載せるための、折り畳み式の脚付き載置台であって、フレーム材により平面矩形に組まれた台本体と、その台本体を支持する複数の脚部とを備え、
前記脚部は折り畳み可能で、折り畳み時に脚部全体が台本体の下面に添う形態となるようにその上端を前記台本体にヒンジ結合され、
前記台本体には、前記脚部が延びた位置でその脚部を台本体に位置決めするロック機構が設けられ、
前記脚部の下端にはピン部材が設けられ、そのピン部材の先端が脚部の先端として構成されていることを特徴とする脚付き載置台。
【請求項２】
前記脚部は平面矩形の台本体の四隅に配置され、各脚部のうちの隣り合う２つの脚部どうしが連結板で一体に連結されて相対する一対の脚部として折り畳み可能に構成されている請求項１記載の脚付き載置台。
【請求項３】
前記台本体のフレーム材はアングル状のＬ型材により形成され、そのＬ型材の一方のフランジで台本体の上面が形成され、他方のフランジで台本体の側面が形成されている請求項１又は２記載の脚付き載置台。
【請求項４】
前記各脚部は前記フレーム材と同じＬ型材によりそれぞれ形成され、脚部の折り畳み時にフレーム材の内側に重なって収納される構成である請求項３記載の脚付き載置台。
【請求項５】
前記ロック機構は、基端が台本体にヒンジ結合され、自由端にフック部が設けられたロック部材と、前記脚部に設けられその脚部の伸張位置で前記フック部が係合して脚部を伸張位置に位置決めする係合口とを備えている請求項１〜４の何れかに記載の脚付き載置台。
【請求項６】
前記ロック部材は、前記各脚部を下方にした伸張位置の姿勢で、その自由端のフック部が自重により下方へ回動して前記係合口に係合する請求項５記載の脚付き載置台。
【請求項７】
前記脚部のピン部材は脚部に対してその長さ方向に移動及び位置決め可能に設けられている請求項１記載の脚付き載置台。
【発明の詳細な説明】
【０００１】
【発明の属する技術分野】
本発明は、上部に物を載せるための折り畳み式の脚付き載置台に関し、特に、建築物の防水層を施工する工事等において有効利用できる脚付き載置台の技術に関する。
【０００２】
【従来の技術】
建築物の中でも、ＲＣ、ＳＲＣを含むコンクリート造の建物では、建築後の所定年数経過後に補修のための防水工事が実施されることが多い。特に、平坦なスラブ屋根や屋上、バルコニー等を有する建物では、その老朽化の程度に応じて防水工事を行う必要がある。
【０００３】
この防水工事として、例えばＳＤ工法、ＨＤ工法、ＡＶ工法等が広く知られている。これらの工法では、下地処理後にウレタン塗膜を塗布して防水層を施す方法が普通に採用されている。
【０００４】
このウレタン塗膜は、防水層施工領域全域にわたり、必要に応じて複数回塗布するが、その際、防水層施工領域内に存在する各種の付帯物品や後付の設置物等を領域外へ移動させるか、あるいは防水層施工面よりも上方へ持ち上げておく必要がある。
【０００５】
しかし、例えば集合住宅における各住戸用空調設備（クーラー等）の床置き室外機等は領域外への移動が困難であるため、これを持ち上げておくことになる。この対策として従来は、簡易に持ち運びできる脚付き載置台を防水層施工面上に搬入し、その上に室外機を載せた状態で、防水層を施工していた。
【０００６】
しかしながら、従来の脚付き載置台には、以下のような問題があった。
（１）  鉄筋の曲げ加工や鉄筋どうしを溶接して製作した構造であったため、かさばるという問題があった。即ち、骨組み全体が４つの脚部を有する箱形となっていたため大きくかさばり、運搬や持ち運び、保管等に不便な点があった。この点は、脚付き載置台が多数使用されることを考慮した場合、防水層の施工コストにまで影響を及ぼす問題となっていた。
【０００７】
（２）  ４つの脚部は、それらの先端部が防水層内に進入した形態となるため、脚付き載置台撤去後において防水層の表面に穴が残る。この穴は最後に同材料で目詰めされるが、可能な限り小さな穴径であることが望ましい。しかし、鉄筋の脚部の先端を細く加工するには強度の問題や加工性等の問題が生じるため、好ましくない。
【０００８】
（３）  ４つの脚部を有する従来の脚付き載置台は、これを設置する下地（防水層施工面）の平坦度によって重心的に安定に設置されず「がたつく」場合が多々あるのに対して対応できないという問題もあった。
【０００９】
【発明が解決しようとする課題】
本発明は上記事情に鑑みてなされたもので、使用時以外は簡単な操作でよりコンパクトに折り畳むことができ、軽量化と構造強度の向上を図ることができ、さらに防水層等へ及ぼす脚部の影響も小さくすることができる脚付き載置台を提供することを課題とする。
【００１０】
【課題を解決するための手段】
本発明は、上部に物を載せるための、折り畳み式の脚付き載置台であって、フレーム材により平面矩形に組まれた台本体と、その台本体を支持する複数の脚部とを備え、脚部は折り畳み可能で、折り畳み時に脚部全体が台本体の下面に添う形態となるようにその上端を前記台本体にヒンジ結合され、台本体には、脚部が延びた位置でその脚部を台本体に位置決めするロック機構が設けられ、脚部の下端にはピン部材が設けられ、そのピン部材の先端が脚部の先端として構成されていることを特徴とする。
【００１１】
本発明によれば、ロック機構を設けると共に脚部全体を台本体の下面に添うように折り畳むことで、使用時以外は簡単な操作でよりコンパクトに折り畳むことができる。また、フレーム材やピン部材を用いることで、軽量化と構造強度の向上を図ることができ、さらに防水層等へ及ぼす脚部の影響も小さくすることができる。
【００１２】
本発明において、脚部は平面矩形の台本体の四隅に配置され、各脚部のうちの隣り合う２つの脚部どうしが連結板で一体に連結されて相対する一対の脚部として折り畳み可能に構成されていることが望ましい。脚部の強度向上及び折り畳み機構の簡素化を図ることができるからである。
【００１３】
台本体のフレーム材はアングル状のＬ型材により形成され、そのＬ型材の一方のフランジで台本体の上面が形成され、他方のフランジで台本体の側面が形成されていることが望ましい。このようにフレーム材にＬ形材を用いることで、軽量化と構造強度向上の両方を図ることができる上に、台本体の下面側に脚部の収納スペースを形成できるからである。
【００１４】
各脚部はフレーム材と同じＬ型材によりそれぞれ形成され、脚部の折り畳み時にフレーム材の内側に重なって収納される構成とすることが望ましい。このように脚部も台本体と同じＬ型材で形成することで、台本体のＬ型材に脚部のＬ型材を重ねて収納可能にし、これにより、よりコンパクトに脚部を折り畳むことができるからである。
【００１５】
ロック機構は、基端が台本体にヒンジ結合され、自由端にフック部が設けられたロック部材と、脚部に設けられその脚部の伸張位置でフック部が係合して脚部を伸張位置に位置決めする係合口とを備えていることが望ましい。ロック機構として、ロック部材のフック部を係合口に係合させる簡易な構造とすることができるからである。
【００１６】
ロック部材は、各脚部を下方にした伸張位置の姿勢で、その自由端のフック部が自重により下方へ回動して係合口に係合することが望ましい。各脚部を下方にして伸張させるだけで、フック部が自重により係合口に係合するので、脚部の展開操作及びロック操作を極めて簡易に行うことができるからである。
【００１７】
脚部のピン部材は脚部に対してその長さ方向に移動及び位置決め可能に設けられていることが望ましい。このピン部材によって脚部の長さの微調整を行うことができるからである。
【００１８】
【発明の実施の形態】
以下、本発明の実施の形態について、図面を参照して説明する。
図１は本発明に係る脚付き載置台の実施の形態を示す平面図である。図２はその底面図、図３はその正面図、図４はその断面図である。図５は側面図、図６はその断面図である。図７は作用を説明するための断面説明図である。図９は脚部の折り畳み状態を示す正面図である。
【００１９】
この実施の形態に係る脚付き載置台は、フレーム材により平面矩形に組まれた台本体１と、その台本体１を支持する複数の脚部２とを備える。脚部２は折り畳み可能で、折り畳み時に脚部２全体が台本体１の下面に添う形態となるようにその上端を台本体１にヒンジ結合されている。台本体１には、脚部２が延びた位置でその脚部２を台本体１に位置決めするロック機構３が設けられている。脚部２の下端にはピン部材５が設けられ、そのピン部材５の先端が脚部２の先端として構成されている。
【００２０】
具体的には、台本体１は、平面長方形であり、全体がＬ型鋼からなるフレーム材により形成されている。即ち、台本体１のフレーム材はアングル状のＬ型鋼により形成され、そのＬ型鋼の一方のフランジ１１で台本体１の上面（上面の一部）が形成され、他方のフランジ１２で台本体１の側面が形成されている。この台本体１には、その上面側の中央に（重心位置に）把手を兼ねる帯板状の金属板からなる補強板１３が設けられている。この補強板１３は溶接により一方のフランジ１１に固定されている。
【００２１】
脚部２は、平面矩形（平面長方形）の台本体１の四隅にそれぞれ配置されている。そして、各脚部２のうちの隣り合う２つの脚部どうしが連結板２１で一体に連結されて相対する一対の脚部として折り畳み可能に構成されている。連結板２１は、台本体１の短辺側で隣り合う脚部２、２どうしを一体に連結する部材であり、帯板状の金属板が用いられている。従って、図７に示す代に、左右の脚部は台本体１の長辺方向で向き合うように折り畳まれる。
【００２２】
各脚部２は、台本体１のフレーム材と同じＬ型鋼によりそれぞれ形成され、図８に示すように、脚部２の折り畳み時にフレーム材の内側に重なって収納される構成となっている。
【００２３】
脚部２の折り畳み機構はヒンジで構成されている。ヒンジの手段は種々考えられるが、この例では、組立容易なボルト６、ナット７で構成している。即ち、台本体１における四隅近くの他方のフランジ１２部分にボルト穴を設けると共に、脚部２の上端近くにボルト穴を設け、それらの穴を貫通するボルト６にナット７をねじ込んだ構成としている。
【００２４】
これにより、図３及び図４に示すように、脚部２を真っ直ぐに伸張した状態で、脚部２の上端が一方のフランジ１１の下面に当接し、それ以上、外側へ回動しないようになっている。台本体１と脚部２との間には、脚部２をその折り畳み位置に仮止めする仮止め機構が設けられている。この仮止め機構は、台本体１の他方のフランジ１２に設けられた小径の係止孔１５と、脚部２の折り畳み時（図８参照）に係止孔１５に係合するように脚部２に設けられた凸部２５とで構成されている。
【００２５】
ロック機構３は、基端が台本体１にヒンジ部３０を介してヒンジ結合され、自由端にフック部３１が設けられたロック部材３２と、脚部２に設けられその脚部２の伸張位置でフック部３１が係合して脚部２を伸張位置に位置決めする係合口３３とを備えている。係合口３３は連結板２１に設けられている。係合口３３は連結板２１の中央に設けられている。そして、ロック部材３２の長さが必要以上に長くならないように、連結板２１は脚部２の上端寄りに設けられている。
【００２６】
ロック部材３２は、左右一対の脚部の構成に対応させて左右一対設けられている。各ロック部材３２は、細目の金属棒が平面Ｖ字形（図１参照）に曲げ形成されていて、その基端部の両側にヒンジ部３０が設けられている。これらのヒンジ部３０は、台本体１に設けた孔にロック部材３２の基端部を挿入した構成としている。
【００２７】
ロック部材３２は、図４に示すように、各脚部２を下方にした伸張位置の姿勢で、その自由端のフック部３１が自重により下方へ回動して係合口３３に係合することができるように構成されている。これは、各脚部２を下方にして伸張させるだけで、フック部３１が自重により係合口３３に係合可能にし、脚部２の展開操作及びロック操作を極めて簡易に行うことができるようにするためである。
【００２８】
各脚部２の下端部には、先端を先細りにしたピン部材５がそれぞれ設けられている。ピン部材５は、この実施形態では、脚部２のＬ型鋼に溶接止めされた保持筒５１に挿入された状態で固定（溶接）されている。しかし、このピン部材５は脚部２に対してその長さ方向に移動及び位置決め可能に設けることが望ましい。このピン部材５によって脚部２の長さを微調整できるようにするためである。
【００２９】
具体的には、例えば、保持筒５１に代えてナットを溶接し、ピン部材５に代えて、先端を先細りに加工した細身のボルトを用いることもできる。あるいは、ピン部材５に細身のボルトを用い、保持筒５１の上下に微調整用のナットを配置した構成を採用することもできる。
【００３０】
この実施形態では、ロック機構３を設けると共に脚部２全体を台本体１の下面に添うように折り畳むことで、使用時以外は簡単な操作でよりコンパクトに折り畳むことができる。また、フレーム材やピン部材５を用いることで、軽量化と構造強度の向上を図ることができる。さらに、先細りのピン部材であるため、例えば防水層に開ける穴も小さくて済み、したがって、脚部の影響も小さくすることができる。
【００３１】
また、脚部２は平面矩形の台本体１の四隅に配置され、各脚部２のうちの隣り合う２つの脚部どうしが連結板２１で一体に連結されて相対する一対の脚部として折り畳み可能に構成されていることで、脚部２の強度向上及び折り畳み機構の簡素化を図ることができる。
【００３２】
また、フレーム材にＬ形鋼を用いることで、軽量化と構造強度向上の両方を図ることができる上に、台本体１の下面側に脚部２の収納スペースを形成することができる。そして、脚部２も台本体１と同じＬ型鋼で形成することで、台本体１のＬ型鋼に脚部のＬ型鋼を重ねて収納可能にし、これにより、よりコンパクトに脚部を折り畳むことができる。
【００３３】
以上の実施形態では、フレーム材にＬ型鋼を使用した例を示したが、アルミ製やステンレス鋼、硬質樹脂等を用いて製作することもできる。また、この脚付き載置台は、防水工事等における仮設の載置台に限られず、長期間使用の他の物の載置台として用いることもできる。
【００３４】
【発明の効果】
以上のように、本発明の脚付き載置台によれば、使用時以外は簡単な操作でよりコンパクトに折り畳むことができるだけでなく、軽量化と構造強度の向上を図ることができ、さらに防水層等へ及ぼす脚部の影響も小さくすることができる、といった優れた効果を奏する。
【図面の簡単な説明】
【図１】本発明の実施の形態に係る脚付き載置台の平面図である。
【図２】本発明の実施の形態に係る脚付き載置台の底面図である。
【図３】本発明の実施の形態に係る脚付き載置台の正面図である。
【図４】本発明の実施の形態に係る脚付き載置台の断面図である。
【図５】本発明の実施の形態に係る脚付き載置台の側面図である。
【図６】本発明の実施の形態に係る脚付き載置台の側面断面図である。
【図７】本発明の実施の形態に係る脚付き載置台の作用説明用の断面図である。
【図８】本発明の実施の形態に係る脚付き載置台の脚部収納時の側面図である。
【符号の説明】
１  台本体
１１  一方のフランジ
１２  他方のフランジ
１３  補強板
２  脚部
２１  連結板
３  ロック機構
３０  ヒンジ部
３１  フック部
３２  ロック部材
３３  係合口
５  ピン部材
５１  保持筒
６  ボルト
７  ナット
【図１】
2004169525.tif 000003
【図２】
2004169525.tif 000004
【図３】
2004169525.tif 000005
【図４】
2004169525.tif 000006
【図５】
2004169525.tif 000007
【図６】
2004169525.tif 000008
【図７】
2004169525.tif 000009
【図８】
2004169525.tif 000010